【手続補正書】
【提出日】平成29年10月3日(2017.10.3)
【手続補正１】
【補正対象書類名】明細書
【補正対象項目名】００９３
【補正方法】変更
【補正の内容】
【００９３】
現時点で開示されている実施形態に対する様々な変形および変更は、当業者には明らかであろうことも理解されるべきである。そのような変形および変更は、本開示の趣旨および範囲から逸脱することなく、また、その意図する利点を減じることなく行うことができる。従って、そのような変形および変更は添付の特許請求の範囲によって包含されることを意図する。
なお、本発明は以下の特徴を以って実施することができる。
［特徴１］
装填室およびホッパーを備えるメルターであって、前記ホッパーは前記装填室と連通して配置され、前記装填室は、開口と内部に配置された１または複数の第１の加熱素子とを備え、前記ホッパーの内部には第２の加熱素子が配置されているメルターと、
内容物が収容されている容器を第１の方向に所定の高さまで持ち上げ、該容器を第２の方向に、前記メルターに対して遠隔の位置から前記装填室内部の位置まで移動させる容器ハンドリングシステムと、
前記メルターに隣接する周辺部を有するアクセス領域であって、該アクセス領域によって形成される内部領域へのアクセスを可能にするアクセス部を有するアクセス領域と、
前記ホッパーと流体連通し、少なくとも１つのポンプと、前記ホッパーと流体連通する少なくとも１つの入口と、少なくとも１つの送出ポートとを備えるポンプシステムとを具備し、
前記装填室は、前記開口を通して前記容器を受容するように構成され、前記１または複数の第１の加熱素子は、前記容器内の前記内容物を加熱するように構成され、前記ホッパーは、前記容器から前記内容物を受け取り、前記第２の加熱素子を用いて該内容物を溶融して流体を準備するように構成され、前記ポンプシステムは前記ホッパーから前記流体を供給するように構成されている流体供給装置。
［特徴２］
前記容器ハンドリングシステムは、
前記メルターに対して遠隔の第１の位置から前記メルター上方の第２の位置まで延びるレールと、
前記レールに結合されるトロリーであって、該トロリーのレールに沿って前記第１の位置から前記第２の位置に移動するトロリーと、
前記容器に締め付け力を選択的に印加し、内側に該容器を固定するチャックと、
一方の端部が前記トロリーに連結され、反対側の端部が前記チャックに連結されるリフト機構であって、前記容器を前記第１の方向に前記所定の高さまで持ち上げるリフト機構と、
前記トロリーに連結される第１の端部および前記チャックに連結される第２の端部を有する安定化リンク機構とを具備する特徴１に記載の流体供給装置。
［特徴３］
前記チャックは締め付けバンドを含み、該締め付けバンドは、それぞれガイドバンドに回動可能に取り付けられる第１のアームおよび第２のアームを有し、該第１のアームおよび該第２のアームは、間に前記容器を受け、該容器に前記締め付け力を印加するように移動可能である特徴２に記載の流体供給装置。
［特徴４］
前記チャックは支持ブラケットを更に含み、該支持ブラケットには、リンケージブラケットおよびリンケージカウンターウェイトが回動可能に取り付けられ、前記リンケージブラケットは、前記安定化リンク機構の前記第２の端部に取り付けられる特徴３に記載の流体供給装置。
［特徴５］
前記リフト機構は、前記トロリーに連結されたホイストと、該ホイスト上で巻回および巻出される柔軟な部材とを含み、該柔軟な部材は、前記チャックに取り付け可能である特徴２に記載の流体供給装置。
［特徴６］
前記安定化リンク機構は、伸張位置と収縮位置との間で移動可能なシザー型リンク機構と、該シザー型リンク機構と前記トロリーとの間に結合される第１の連結ピースと、該シザー型リンク機構と前記チャックとの間に結合される第２の連結ピースとを含む特徴２に記載の流体供給装置。
［特徴７］
前記第１の連結ピースは、弾性材料から形成される特徴６に記載の流体供給装置。
［特徴８］
前記第２の連結ピースは、および前記シザー型リンク機構に結合されるＬ字状ブラケットと、該Ｌ字状ブラケットと前記チャックとの間に結合されるＬ字状プレートとを含み、前記Ｌ字状ブラケットは、前記シザー型リンク機構に対して第１の軸の回りに回動可能であり、前記Ｌ字状プレートは、前記Ｌ字状ブラケットに対して前記第１の軸に平行でない第２の軸の回りに回動可能である特徴６に記載の流体供給装置。
［特徴９］
前記アクセス領域は前記アクセス部にドアを更に含む特徴１に記載の流体供給装置。
［特徴１０］
前記アクセス領域は複数のパネルを更に含み、該複数のパネルのうちの１または複数のパネルおよび前記アクセス部は互いに対して再配置可能であり、該アクセス領域が再構成可能であるようになっている特徴１に記載の流体供給装置。
［特徴１１］
前記メルターは、前記装填室の前記開口を開閉するように、該開口を横切って選択的に移動可能であるメルタードアを更に備える特徴１に記載の流体供給装置。
［特徴１２］
前記装填室の前記１または複数の第１の加熱素子は１または複数の可撓性加熱バンドを含み、該可撓性加熱バンドは、該可撓性加熱バンドが内側に容器を受容するように構成される受容位置と、前記可撓性加熱バンドが前記容器の周囲の回りに実質的に延びるように構成される加熱位置との間で移動可能である特徴１に記載の流体供給装置。
［特徴１３］
前記流体供給装置は、前記１または複数の可撓性加熱バンドのうちの最下の可撓性加熱バンド上に配置された引き込み保護スカートを更に備え、該引き込み保護スカートは本体を備え、該本体は、該本体の第１の縁から延びる１または複数の固定アームと、該本体に対してゼロではない角度で該本体の第２の縁から延びる１または複数のタブとを有し、前記最下の可撓性加熱バンドは前記１または複数の固定アームと前記１または複数のタブとの間に延びる特徴１２に記載の流体供給装置。
［特徴１４］
前記ポンプアセンブリに接続され、前記少なくとも１つの送出ポートから送出される前記流体の圧力を調節する少なくとも１つの圧力調節弁を更に備える特徴１に記載の流体供給装置。
［特徴１５］
前記ポンプアセンブリは２つ以上の送出ポートを有し、前記少なくとも１つの圧力調節弁のそれぞれの圧力調節弁は、各送出ポートと連結して、各送出ポートから送出される前記流体の圧力を独立して調節する特徴１４に記載の流体供給装置。
［特徴１６］
前記少なくとも１つの圧力調節弁を選択的に制御する制御装置を更に備える特徴１４に記載の流体供給装置。
［特徴１７］
装填室およびホッパーを備えるメルターであって、前記ホッパーは前記装填室と連通して配置され、前記装填室は、開口と、該開口を横切って選択的に移動可能なドアと、内部に配置された１または複数の加熱素子とを備え、前記ホッパーの内部には第２の加熱素子が配置されているメルターと、
前記ホッパーと流体連通し、流体を前記ホッパーから１または複数の遠隔に配置された流体塗布装置に供給するポンプシステムと、
容器を持ち上げ、該容器を前記メルターに対して遠隔の位置から前記装填室内部の位置に移動させる容器ハンドリングシステムと、
を備え、前記装填室は前記ホッパーの上方に配置されている流体供給装置。
［特徴１８］
装填室およびホッパーを備えるメルターであって、前記ホッパーは前記装填室と連通して配置され、前記装填室は、開口と内部に配置された１または複数の加熱素子とを備え、前記ホッパーの内部には第２の加熱素子が配置されているメルターと、
内容物が収容されている容器を第１の方向に所定の高さまで持ち上げ、該容器を第２の方向に、前記メルターに対して遠隔の位置から前記装填室内部の位置まで移動させる容器ハンドリングシステムと、
前記ホッパーと流体連通し、少なくとも１つのポンプと少なくとも１つの送出ポートとを備えるポンプシステムとを具備する流体供給装置を動作させる方法において、
前記容器を所定の高さまで持ち上げることと、
前記容器を前記メルターに対して遠隔の位置から前記装填室内部の位置に移動させることと、
前記装填室のドアを開位置から閉位置に移動させることと、
前記１または複数の加熱素子を受容位置から加熱位置に移動させることと、
前記１または複数の加熱素子にエネルギー付与して前記容器および該容器に収容されている前記内容物を加熱することと、
前記容器の前記内容物を前記ホッパーに受け取ることと、
前記ホッパー内の前記内容物を溶融して流体を準備することと、
前記流体を前記ホッパーから送出することと、
少なくとも１つの圧力調節弁を用いて、前記ホッパーから送出される前記流体の前記圧力を調節することとを含む方法。
【手続補正２】
【補正対象書類名】特許請求の範囲
【補正対象項目名】全文
【補正方法】変更
【補正の内容】
【特許請求の範囲】
【請求項１】
装填室およびホッパーを備えるメルターであって、前記ホッパーは前記装填室と連通して配置され、前記装填室は、開口と、該装填室内部に配置された１または複数の第１の加熱素子とを備え、前記ホッパーの内部には第２の加熱素子が配置されているメルターと、
内容物が収容されている容器を第１の方向に所定の高さまで持ち上げ、該容器を第２の方向に、前記装填室内部の所定の位置まで移動させる容器ハンドリングシステムであって、該容器ハンドリングシステムは、前記装填室内で前記容器を支持すると共に、前記メルターから離間した第１の位置から前記メルター上方の第２の位置まで延びるレールと、前記レールに結合され該トロリーのレールに沿って前記第１の位置から前記第２の位置に移動するトロリーとを備え、該トロリーが前記容器と結合して該容器を前記第２の方向に移動するようにした容器ハンドリングシステムと、
前記メルターに隣接する周辺部を有するアクセス領域であって、該アクセス領域は、該アクセス領域によって形成される内部領域へのアクセスを可能にするアクセス部を有し、前記容器ハンドリングシステムは、該アクセス領域内の所定位置から前記装填室内の所定位置へ前記容器を移動するようにしたアクセス領域と、
前記ホッパーと流体連通し、少なくとも１つのポンプと、前記ホッパーと流体連通する少なくとも１つの入口と、少なくとも１つの送出ポートとを備えるポンプシステムとを具備し、
前記装填室は、前記開口を通して前記容器を受容するように構成され、前記１または複数の第１の加熱素子は、前記容器ハンドリングシステムによって前記容器が支持されているときに前記容器内の前記内容物を加熱するように構成され、前記ホッパーは、前記容器から前記内容物を受け取り、前記第２の加熱素子を用いて該内容物を溶融して流体を準備するように構成され、前記ポンプシステムは前記ホッパーから前記流体を供給するように構成されている流体供給装置。
【請求項２】
装填室およびホッパーを備えるメルターであって、前記ホッパーは前記装填室と連通して配置され、前記装填室は、開口と、該装填室内部に配置された１または複数の加熱素子とを備え、前記ホッパーの内部には第２の加熱素子が配置されているメルターと、
内容物が収容されている容器を第１の方向に所定の高さまで持ち上げ、該容器を第２の方向に、前記メルターから離間した位置から前記装填室内部の位置まで移動させる容器ハンドリングシステムと、
前記メルターに隣接する周辺部を有するアクセス領域であって、該アクセス領域によって形成される内部領域へのアクセスを可能にするアクセス部を有するアクセス領域と、
前記ホッパーと流体連通し、少なくとも１つのポンプと、前記ホッパーと流体連通する少なくとも１つの入口と、少なくとも１つの送出ポートとを備えるポンプシステムとを具備し、
前記装填室は、前記開口を通して前記容器を受容するように構成され、前記１または複数の第１の加熱素子は、前記容器内の前記内容物を加熱するように構成され、前記ホッパーは、前記容器から前記内容物を受け取り、前記第２の加熱素子を用いて該内容物を溶融して流体を準備するように構成され、前記ポンプシステムは前記ホッパーから前記流体を供給するように構成されており、
前記装填室の前記１または複数の第１の加熱素子は１または複数の可撓性加熱バンドを含み、該可撓性加熱バンドは、該可撓性加熱バンドが内側に容器を受容するように構成される受容位置と、前記可撓性加熱バンドが前記容器の周囲の回りに実質的に延びるように構成される加熱位置との間で移動可能となっており、
引き込み保護スカートが、前記１または複数の可撓性加熱バンドのうちの最下の可撓性加熱バンド上に配置されており、該引き込み保護スカートは本体を備え、該本体は、該本体の第１の縁から延びる１または複数の固定アームと、該本体に対してゼロではない角度で該本体の第２の縁から延びる１または複数のタブとを有し、最下の前記可撓性加熱バンドは前記１または複数の固定アームと前記１または複数のタブとの間に延設される流体供給装置。
【請求項３】
装填室およびホッパーを備えるメルターであって、前記ホッパーは前記装填室と連通して配置され、前記装填室は、開口と、該開口を横切って選択的に移動可能なドアと、内部に配置された１または複数の可撓性加熱素子とを備え、前記ホッパーの内部には第２の加熱素子が配置されているメルターと、
前記ホッパーと流体連通し、流体を前記ホッパーから１または複数の遠隔に配置された流体塗布装置に供給するポンプシステムと、
前記メルターに関して固定されたレールと、前記メルターから離間した所定位置と前記装填室内の所定位置との間で移動可能に設けられたトロリーとを備えた容器ハンドリングシステムとを具備し、
前記装填室は前記ホッパーの上方に配置され、前記ホッパーが開口部によって前記装填室に連通するように配置され、
前記ホッパーが、前記開口部を通して前記容器の内容物を受け取り、前記第２の加熱素子が前記内容物を溶融するようにした流体供給装置。